(57)【要約】【課題】切削油の寿命を延長し、加工精度を向上させることができ、かつ、切粉及びスラッジの除去作業を軽減することができる切削油回収装置を提供する。【解決手段】切削油回収装置１０は、切削機２０において被削材の切削に用いた切削油から切粉及びスラッジを除去して切削油を回収するものであり、切削油を溜める回収水槽１１と、回収水槽１１に切削油を案内する案内手段１２と、回収水槽１１に切削油が流入する前の位置に、切削油から切粉及びスラッジを除去する切粉・スラッジ除去手段１３とを備えている。切粉・スラッジ除去手段１３は、例えば、案内手段１２に配設され、表面が少なくとも磁石よりなる第１の除去手段１３Ａを有している。【選択図】図１
0003203503.tif 000002
【実用新案登録請求の範囲】
【請求項１】
切削機において被削材の切削に用いた切削油から切粉及びスラッジを除去して切削油を回収する切削油回収装置であって、
切削機において用いた切削油を溜める回収水槽と、
この回収水槽に切削機において用いた切削油を案内する案内手段と、
前記回収水槽に切削油が流入する前の位置に、切削機において用いた切削油から切粉及びスラッジを除去する切粉・スラッジ除去手段と、
前記回収水槽に溜まった切削油をオーバーフローにより移動させて溜め、ポンプにより切削機に戻すポンプ槽とを備え、
前記切粉・スラッジ除去手段は、前記案内手段に配設され、表面が少なくとも磁石よりなる第１の除去手段、及び、前記案内手段又は前記案内手段と前記回収水槽との間に配設され、表面が少なくとも磁石よりなる回転体と、この回転体の表面に吸着された切粉及びスラッジを掻き取る掻き取り刃とを有する第２の除去手段のうちの少なくとも一方を備えた
ことを特徴とする切削油回収装置。
【請求項２】
前記回収水槽に切削油が流入する前の位置に、切削油から切り屑を除去するための網状の切り屑除去手段を備えたことを特徴とする請求項１記載の切削油回収装置。
【請求項３】
前記ポンプ槽の内部は、仕切板により、前記回収水槽から切削油が流入する流入部と、ポンプにより切削機に切削油を流出する流出部とに仕切られていることを特徴とする請求項１又は請求項２記載の切削油回収装置。
【請求項４】
前記回収水槽の底部に、表面が少なくとも磁石よりなる底部切粉・スラッジ吸着手段を備え、
前記ポンプ槽の内部に、表面が少なくとも磁石よりなり、沈殿しきれずに切削油に浮遊している切削微粉を吸着するための浮遊切削微粉吸着手段を備えた
ことを特徴とする請求項請求項１から請求項３のいずれか１に記載の切削油回収装置。
【考案の詳細な説明】
【技術分野】
【０００１】
本考案は、切削機において被削材の切削に用いた切削油から切粉及びスラッジを除去して切削油を回収する切削油回収装置に関する。
【背景技術】
【０００２】
一般に、切削機における切削加工では、切削機を高速回転させて切削を行うため、摩擦により切削機や被削材の温度が上昇してしまう。そこで、切削機や被削材の温度上昇を防止し、かつ、切削加工において発生した切粉及びスラッジを切削機や被削材から除去するために、切削油（クーラント）を切削機および被削材に噴き付けながら切削を行っている。その際に用いられた切削油は、例えば、切粉及びスラッジと共に、切削機の下方に設けられた水槽に溜められる。切粉及びスラッジは、水槽において下に沈殿し、上澄みの切削油はポンプにより回収されて、再び、切削機に用いられる。
【先行技術文献】
【特許文献】
【０００３】
【特許文献１】特開２００７−３２６１５４号公報
【考案の概要】
【考案が解決しようとする課題】
【０００４】
しかしながら、この方法では、切削油と切粉及びスラッジとを沈殿により分離していたので、細かい切粉及びスラッジを十分に分離することが難しかった。そのため、切削油の寿命が短く、また、切削精度が低下してしまうという問題があった。更に、水槽に溜まった切粉及びスラッジを定期的に除去して廃棄する作業が必要であるという問題もあった。
【０００５】
本考案は、このような問題に基づきなされたものであり、切削油の寿命を延長し、加工精度を向上させることができ、かつ、切粉及びスラッジの除去作業を軽減することができる切削油回収装置を提供することを目的とする。
【０００６】
なお、特許文献１には、切削機において用いた切削油を溜める水槽の上に網目部材を設け、切削油は網目部材を透過させ、切粉及びスラッジは網目部材上に堆積させて、切削油と切粉及びスラッジとをそれぞれ回収することが記載されている。しかし、本願考案とは具体的な構成が全く異なり、この方法では、網目部材の網目を細かくしなければ細かい切粉及びスラッジを十分に分離することができず、網目を細かくするとすぐに網目が詰まってしまうという問題がある。
【課題を解決するための手段】
【０００７】
本考案の切削油回収装置は、切削機において被削材の切削に用いた切削油から切粉及びスラッジを除去して切削油を回収するものであって、切削機において用いた切削油を溜める回収水槽と、この回収水槽に切削機において用いた切削油を案内する案内手段と、回収水槽に切削油が流入する前の位置に、切削機において用いた切削油から切粉及びスラッジを除去する切粉・スラッジ除去手段と、回収水槽に溜まった切削油をオーバーフローにより移動させて溜め、ポンプにより切削機に戻すポンプ槽とを備え、切粉・スラッジ除去手段は、案内手段に配設され、表面が少なくとも磁石よりなる第１の除去手段、及び、案内手段又は案内手段と回収水槽との間に配設され、表面が少なくとも磁石よりなる回転体と、この回転体の表面に吸着された切粉及びスラッジを掻き取る掻き取り刃とを有する第２の除去手段のうちの少なくとも一方を備えたものである。
【考案の効果】
【０００８】
本考案の切削油回収装置によれば、回収水槽に切削油が流入する前の位置に、切削機において用いた切削油から切粉及びスラッジを除去する切粉・スラッジ除去手段を設けるようにしたので、切削油と共に回収水槽に流入する切粉及びスラッジの量を削減することができる。
【０００９】
また、切粉・スラッジ除去手段として、表面が少なくとも磁石よりなる第１の除去手段、及び、表面が少なくとも磁石よりなる回転体と、この回転体の表面に吸着された切粉及びスラッジを掻き取る掻き取り刃とを有する第２の除去手段のうちの少なくとも一方を備えるようにしたので、切削油から細かい切粉及びスラッジを除去することができ、細かい切粉及びスラッジが回収水槽に流入することを抑制することができる。
【００１０】
よって、切削油から細かい切粉及びスラッジを十分に分離することができ、切削油の寿命を延長することができると共に、切削精度を向上させることができる。また、回収水槽に溜まる切粉及びスラッジの量を削減することができ、回収水槽に溜まった切粉及びスラッジ等の堆積物を除去して廃棄する作業の回数を削減することができる。
【００１１】
更に、回収水槽に溜まった切削油をオーバーフローにより移動させて溜め、ポンプにより切削機に戻すポンプ槽を備えるようにしたので、回収水槽において沈殿により切粉及びスラッジが分離された上澄みの切削油をポンプ槽に移し、ポンプにより切削機に戻すことができる。よって、細かい切粉及びスラッジがポンプにより舞い上がって切削油に混入してしまうことを抑制することができる。従って、切削油から細かい切粉及びスラッジを更に分離することができ、切削油の寿命をより延長することができると共に、切削精度をより向上させることができる。
【００１２】
加えて、回収水槽に切削油が流入する前の位置に、切削油から切り屑を除去するための網状の切り屑除去手段を備えるようにすれば、切粉・スラッジ除去手段では除去できない大きい切り屑が回収水槽に流入することを抑制することができる。よって、回収水槽に溜まる切り屑の量を削減することができ、回収水槽に溜まった堆積物を除去して廃棄する作業の回数を削減することができる。
【００１３】
更にまた、ポンプ槽の内部を仕切板により流入部と流出部とに仕切るようにすれば、流入部において細かい切粉及びスラッジを沈殿させて更に分離することができる。よって、切削油から細かい切粉及びスラッジを更に分離することができ、切削油の寿命をより延長することができると共に、切削精度をより向上させることができる。
【００１４】
加えてまた、回収水槽の底部に、表面が少なくとも磁石よりなる底部切粉・スラッジ吸着手段を備えるようにすれば、回収水槽に沈殿した切粉及びスラッジを吸着し、回収水槽からポンプ槽に移動する切粉及びスラッジの量を削減することができる。更に、ポンプ槽の内部に、表面が少なくとも磁石よりなり、沈殿しきれずに切削油に浮遊している切削微粉を吸着するための浮遊切削微粉吸着手段を備えるようにすれば、浮遊している切削微粉を吸着して除去することができる。よって、切削油から細かい切粉及びスラッジを更に分離することができると共に、切削微粉も分離することができ、切削油の寿命をより延長することができると共に、切削精度をより向上させることができる。
【図面の簡単な説明】
【００１５】
【図１】本考案の第１の実施の形態に係る切削油回収装置の構成を表す図である。
【図２】図１に示した切削油回収装置における案内手段及び切粉・スラッジ除去手段の構成を表す図である。
【図３】本考案の第２の実施の形態に係る切削油回収装置の構成を表す図である。
【考案を実施するための形態】
【００１６】
以下、本考案の実施の形態について、図面を参照して詳細に説明する。
【００１７】
（第１の実施の形態）
図１は、本考案の第１の実施の形態に係る切削油回収装置１０の構成を表すものである。この切削油回収装置１０は、切削機２０において被削材の切削に用いた切削油から切粉及びスラッジを除去して切削油を回収するものである。この切削油回収装置１０は、例えば、切削機２０において用いた切削油を溜める回収水槽１１と、この回収水槽１１に切削機２０において用いた切削油を案内する案内手段１２と、回収水槽１１に切削油が流入する前の位置に、切削機２０において用いた切削油から切粉及びスラッジを除去する切粉・スラッジ除去手段１３とを備えている。
【００１８】
図２は、切削油回収装置１０における案内手段１２及び切粉・スラッジ除去手段１３の構成を表すものである。案内手段１２は、例えば、切削機２０から回収水槽１１の上方まで伸長された溝型の樋により構成されている。切粉・スラッジ除去手段１３は、例えば、案内手段１２に配設され、表面が少なくとも磁石よりなる第１の除去手段１３Ａを有している。第１の除去手段１３Ａは、切削油が案内手段１２を流れる際に、切削油に含まれる細かい切粉及びスラッジを吸着して切削油から除去するようになっている。第１の除去手段１３Ａは、例えば、一方向に伸長して形成されており、案内手段１２の長さ方向に複数並べて配設されることが好ましい。例えば、図２（Ａ）に示したように、切削油の流れに対して斜めになるように、傾斜方向を交互に逆にして配置するようにすることが好ましく、また、図２（Ｂ）に示したように、千鳥配置、すなわち、案内手段１２の幅方向において一方側と他方側に交互に位置を換えて配置するようにしても好ましい。また、第１の除去手段１３Ａは、案内手段１２に対して着脱可能とされており、取り外して吸着した切粉及びスラッジを取り除き、再び配設することができるようになっている。
【００１９】
切削油回収装置１０は、また、図１に示したように、回収水槽１１に切削油が流入する前の位置に、切削油から切り屑を除去するための網状の切り屑除去手段１４を備えていることが好ましい。切粉・スラッジ除去手段１３では除去できない大きい切り屑を切削油から分離し、回収水槽１１に流入することを抑制するためである。
【００２０】
切削油回収装置１０は、更に、図１に示したように、回収水槽１１の底部に、表面が少なくとも磁石よりなる底部切粉・スラッジ吸着手段１５を備えていることが好ましい。回収水槽１１に切削油と共に流入し沈殿した切粉及びスラッジを吸着することにより、切粉及びスラッジが上澄みの切削油に混入することを抑制するためである。
【００２１】
切削油回収装置１０は、加えて、図１に示したように、回収水槽１１に溜まった切削油をオーバーフローにより移動させて溜め、ポンプ１６により切削機２０に戻すポンプ槽１７を備えていることが好ましい。回収水槽１１において沈殿により切粉及びスラッジが分離された上澄みの切削油をポンプ槽１７に移すことにより、沈殿した細かい切粉及びスラッジがポンプ１６により舞い上がって切削油に混入してしまうことを抑制するためである。
【００２２】
なお、ポンプ槽１７の内部は、仕切板１８により、回収水槽１１から切削油が流入する流入部１７Ａと、ポンプ１６により切削機２０に切削油を流出する流出部１７Ｂとに仕切られていることが好ましい。流入部１７Ａにおいて細かい切粉及びスラッジを沈殿させて更に分離するためである。また、ポンプ槽１７の内部には、沈殿しきれずに切削油に浮遊している極微細な切削微粉を吸着するための浮遊切削微粉吸着手段１９が設けられていることが好ましい。浮遊切削微粉吸着手段１９は、例えば、表面が少なくとも磁石により構成され、少なくとも切削油の液面が仕切板１８を超える領域において、切削油の液面と接触する位置に設けられることが好ましい。
【００２３】
この切削油回収装置１０は、例えば、次のようにして用いられる。まず、切削機２０で用いられた切削油は、案内手段１２を流れて回収水槽１１に流入する。その際、切削油に含まれる切粉及びスラッジは、案内手段１２に配設された第１の除去手段１３Ａにより吸着されて除去され、切削油に含まれる切り屑は、切り屑除去手段１４により分離されて除去される。また、回収水槽１１では、切削油に残っている切粉及びスラッジが沈殿し、底部切粉・スラッジ吸着手段１５に吸着され、上澄みの切削油はオーバーフローによりポンプ槽１７に移動する。ポンプ槽１７では、流入部１７Ａにおいて、更に、切削油に残っている切粉及びスラッジが沈殿し、上澄みの切削油はオーバーフローにより流出部１７Ｂに移動する。また、切削油に浮遊している切削微粉は浮遊切削微粉吸着手段１９に吸着される。流出部１７Ｂに移動した切削油は、ポンプ１６により切削機２０に戻されて、再利用される。なお、第１の除去手段１３Ａは、例えば、１日に１回取り外して、吸着した切粉及びスラッジを取り除き、再び取り付けることにより、吸着能力を保持することができる。
【００２４】
このように本実施の形態によれば、回収水槽１１に切削油が流入する前の位置に、切削機２０において用いた切削油から切粉及びスラッジを除去する切粉・スラッジ除去手段１３を設けるようにしたので、切削油と共に回収水槽１１に流入する切粉及びスラッジの量を削減することができる。また、切粉・スラッジ除去手段１３として、表面が少なくとも磁石よりなる第１の除去手段１３Ａを備えるようにしたので、切削油から細かい切粉及びスラッジを除去することができ、細かい切粉及びスラッジが回収水槽１１に流入することを抑制することができる。
【００２５】
よって、切削油から細かい切粉及びスラッジを十分に分離することができ、切削油の寿命を延長することができると共に、切削精度を向上させることができる。また、回収水槽１１に溜まる切粉及びスラッジの量を削減することができ、回収水槽に溜まった切粉及びスラッジ等の堆積物を除去して廃棄する作業の回数を削減することができる。なお、例えば、従来のように、切削油を切削機の下方に設けた水槽に溜めて沈殿により切粉及びスラッジを沈殿させて分離する場合には、切削油を１ヵ月程度で交換しなければならなかったのに対して、本実施の形態によれば、切削油を交換せずに６ヵ月間使用することができた。
【００２６】
更に、回収水槽１１に溜まった切削油をオーバーフローにより移動させて溜め、ポンプ１６により切削機２０に戻すポンプ槽１７を備えるようにしたので、回収水槽１１において沈殿により切粉及びスラッジが分離された上澄みの切削油をポンプ槽１７に移し、ポンプ１６により切削機２０に戻すことができる。よって、細かい切粉及びスラッジがポンプ１６により舞い上がって切削油に混入してしまうことを抑制することができる。従って、切削油から細かい切粉及びスラッジを更に分離することができ、切削油の寿命をより延長することができると共に、切削精度をより向上させることができる。
【００２７】
加えて、回収水槽１１に切削油が流入する前の位置に、切削油から切り屑を除去するための網状の切り屑除去手段１４を備えるようにすれば、切粉・スラッジ除去手段１３では除去できない大きい切り屑が回収水槽１１に流入することを抑制することができる。よって、回収水槽１１に溜まる切り屑の量を削減することができ、回収水槽１１に溜まった堆積物を除去して廃棄する作業の回数を削減することができる。
【００２８】
更にまた、ポンプ槽１７の内部を仕切板１８により流入部１７Ａと流出部１７Ｂとに仕切るようにすれば、流入部１７Ａにおいて細かい切粉及びスラッジを沈殿させて更に分離することができる。よって、切削油から細かい切粉及びスラッジを更に分離することができ、切削油の寿命をより延長することができると共に、切削精度をより向上させることができる。
【００２９】
加えてまた、回収水槽１１の底部に、表面が少なくとも磁石よりなる底部切粉・スラッジ吸着手段１５を備えるようにすれば、回収水槽１１に沈殿した切粉及びスラッジを吸着し、回収水槽１１からポンプ槽１７に移動する切粉及びスラッジの量を削減することができる。更に、ポンプ槽１７の内部に、表面が少なくとも磁石よりなり、沈殿しきれずに切削油に浮遊している切削微粉を吸着するための浮遊切削微粉吸着手段１９を備えるようにすれば、浮遊している切削微粉を吸着して除去することができる。よって、切削油から細かい切粉及びスラッジを更に分離することができると共に、切削微粉も分離することができ、切削油の寿命をより延長することができると共に、切削精度をより向上させることができる。
【００３０】
（第２の実施の形態）
図３は、本考案の第２の実施の形態に係る切削油回収装置１０の構成を表すものである。この切削油回収装置１０は、切粉・スラッジ除去手段１３の構成が異なることを除き、他は第１の実施の形態と同様の構成を有している。よって、第１の実施の形態と対応する構成要素には、同一の符号を付し、その詳細な説明は省略する。
【００３１】
切粉・スラッジ除去手段１３は、例えば、第１の除去手段１３Ａに代えて、又は、第１の除去手段１３Ａに加えて、第２の除去手段１３Ｂを備えている。第２の除去手段１３Ｂは、例えば、案内手段１２又は案内手段１２と回収水槽１１との間に配設され、表面が少なくとも磁石よりなる回転体１３１と、この回転体１３１の表面に吸着された切粉及びスラッジを掻き取る掻き取り刃１３２とを有している。
【００３２】
回転体１３１は、例えば、案内手段１２を流れてきた切削油が一部に接触するように配設されることが好ましい。掻き取り刃１３２は、例えば、切削油が接触しない側において、回転体１３１に刃が接触するように配設されることが好ましく、回転体１３１が回転することにより、回転体の表面に吸着された切粉及びスラッジを掻き取るようになっている。なお、掻き取り刃１３２の下方近傍には、掻き取った切粉及びスラッジを受けるための切粉・スラッジ受け部１３３が配設されることが好ましい。
【００３３】
このように構成しても、第１の実施の形態と同様に作用し、同様の効果を得ることができる。
【００３４】
以上、実施の形態及び実施例を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３５】
１０…切削油回収装置、１１…回収水槽、１２…案内手段、１３…切粉・スラッジ除去手段、１３Ａ…第１の除去手段、１３Ｂ…第２の除去手段、１４…切り屑除去手段、１５…底部切粉・スラッジ吸着手段、１６…ポンプ、１７…ポンプ槽、１７Ａ…流入部、１７Ｂ…流出部、１８…仕切板、１９…浮遊切削微粉吸着手段、２０…切削機、１３１…回転体、１３２…掻き取り刃、１３３…切粉・スラッジ受け部
【図１】
0003203503.tif 000003
【図２】
0003203503.tif 000004
【図３】
0003203503.tif 000005